(57)【要約】【課題】ユーザ又はプロバイダが望む状態でコンテンツを再生することができるよう、コンテンツを記録する記録装置を実現する。【解決手段】記録装置１は、コンテンツを構成する複数のコンポーネントを取得する受信部１１と、コンテンツを記録する記録方式を選択すると共に、第１の記録モードを選択した場合、これらのコンポーネントを一体化して記録媒体１３記録し、第２の記録モードを選択した場合、これらのコンポーネントを個別に記録媒体１３記録する記録部１２を備えている。【選択図】図１
2013074534.tif 000002
【特許請求の範囲】
【請求項１】
コンテンツを構成する複数のコンポーネントを取得する取得手段と、
上記コンテンツを記録する記録方式を選択する選択手段と、
上記選択手段が第１の記録方式を選択した場合、上記複数のコンポーネントを一体化して記録し、上記選択手段が第２の記録方式を選択した場合、上記複数のコンポーネントの各々を個別に記録する記録手段と、を備えている、
ことを特徴とする記録装置。
【請求項２】
上記取得手段は、上記コンテンツの記録方式を指定する記録方式指定情報を更に取得し、
上記選択手段は、上記記録方式指定情報によって指定された記録方式を選択する、
ことを特徴とする請求項１に記載の記録装置。
【請求項３】
上記取得手段は、上記複数のコンポーネントの間の相互関係を示す相互関係情報であって、上記コンテンツを一体化するために参照される相互関係情報を取得し、
上記記録手段は、上記選択手段が上記第２の記録方式を選択した場合、上記相互関係情報を上記複数のコンポーネントと共に記録する、
ことを特徴とする請求項１又は２に記載の記録装置。
【請求項４】
上記複数のコンポーネントは、再取得可能なコンポーネントと再取得不能なコンポーネントとからなり、上記記録手段は、上記選択手段が第２の記録方式を選択した場合、上記再取得不能なコンポーネントの各々を個別に記録する、
ことを特徴とする請求項１から３までの何れか１項に記載の記録装置。
【請求項５】
上記複数のコンポーネントは、低品質再生用のコンポーネントと高品質再生用のコンポーネントとからなり、
上記取得手段は、上記コンテンツを記録する際、伝送路の状態に応じて上記高品質再生用のコンポーネントを取得するか否かを選択し、上記コンテンツを再生する際、未取得の上記高品質再生用のコンポーネントを取得する、
ことを特徴とする請求項１から３までの何れか１項に記載の記録装置。
【請求項６】
上記選択手段は、伝送路の状態または上記記録装置の状態に応じて、上記記録方式指定情報によって指定された記録方式を選択するか否かを判断し、選択しないと判断した場合には、当該記録方式指定情報によって指定された記録方式とは異なる記録方式を選択し、
上記記録手段は、上記選択手段が、上記記録方式指定情報によって指定された記録方式とは異なる記録方式を選択した場合には、当該異なる記録方式を示す情報を更に記録する、
ことを特徴とする請求項２に記載の記録装置。
【請求項７】
複数のコンポーネントにより構成されるコンテンツを配信する配信装置であって、
上記複数のコンポーネントを一体化して記録するか、上記複数のコンポーネントの各々を個別に記録するかを指定する記録方式指定情報を、上記コンテンツを記録する記録装置に提供する提供手段を備えている、
ことを特徴とする配信装置。
【請求項８】
記録装置がコンテンツを記録する記録方法であって、
上記コンテンツを構成する複数のコンポーネントを取得する取得ステップと、
上記コンテンツを記録する記録方式を選択する選択ステップと、
上記選択ステップにて第１の記録方式を選択した場合、上記複数のコンポーネントを一体化して記録し、上記選択ステップにて第２の記録方式を選択した場合、上記複数のコンポーネントの各々を個別に記録する記録ステップと、を含んでいる、
ことを特徴とする記録方法。
【請求項９】
コンピュータを請求項１から６までの何れか１項に記載の記録装置として動作させるためのプログラムであって、上記コンピュータを上記記録装置が備える上記各手段として機能させるプログラム。
【請求項１０】
請求項９に記載のプログラムが記録されているコンピュータ読み取り可能な記録媒体。
【発明の詳細な説明】
【技術分野】
【０００１】
本発明は、複数のコンポーネントから構成されるコンテンツを記録する記録装置及び記録方法に関する。また、複数のコンポーネントから構成されるコンテンツを記録装置に配信する配信装置に関する。更に、そのような記録装置としてコンピュータを動作させるためのプログラム、及び、そのようなプログラムが記録されている記録媒体に関する。
【背景技術】
【０００２】
インターネットの普及やコンピュータの高性能化に伴い、インターネットを介して動画像などの大容量コンテンツを配信することが広く行われている。また、地上波デジタル放送の開始に伴い、放送コンテンツもデジタル化され、放送によるコンテンツ配信と通信によるコンテンツ配信との融合も可能になっている。
【０００３】
例えば、特許文献１には、放送コンテンツとインターネットコンテンツとを融合させる技術が開示されている。また、特許文献２には、放送コンテンツにインターネットホームページアドレス情報を付加する技術が開示されている。また、特許文献３には、放送コンテンツとネットワークコンテンツとパッケージメディアとを融合させる技術が開示されている。
【先行技術文献】
【特許文献】
【０００４】
【特許文献１】特開２００４−  ５６２７４号公報
【特許文献２】特開２００５−２８６７４８号公報
【特許文献３】特開平１０  −１７３６１２号公報
【発明の概要】
【発明が解決しようとする課題】
【０００５】
コンテンツ配信の分野で、近年、ハイブリッド伝送が注目を集め始めている。ハイブリッド伝送とは、コンテンツを構成する複数のコンポーネントを、複数の伝送路、特に、放送と通信など異種の伝送路を介して伝送する伝送態様のことを指す。
【０００６】
ハイブリッド伝送されたコンポーネントには、単独で再生可能なものもあれば、単独で再生不能なものもある。また、再取得可能なものもあれば、再取得不能なもの、もしくは再取得を積極的にすべきものもある。したがって、ハイブリッド伝送されたコンポーネントを単純に記録しただけでは、ユーザ（視聴者）又はプロバイダ（配信者）が望む状態で記録されたコンテンツを再生することができないことが起こりえた。
【０００７】
本発明は、このような問題に鑑みてなされたものであり、その目的は、ユーザ（視聴者）又はプロバイダ（配信者）が望む状態でコンテンツを再生することができるよう、コンテンツを記録する記録装置を実現することにある。
【課題を解決するための手段】
【０００８】
上記課題を解決するために、本発明に係る記録装置は、コンテンツを構成する複数のコンポーネントを取得する取得手段と、上記コンテンツを記録する記録方式を選択する選択手段と、上記選択手段が第１の記録方式を選択した場合、上記複数のコンポーネントを一体化して記録し、上記選択手段が第２の記録方式を選択した場合、上記複数のコンポーネントの各々を個別に記録する記録手段と、を備えていることを特徴とする。
【０００９】
また、上記課題を解決するために、本発明に係る記録方法は、上記記録装置がコンテンツを記録する記録方法であって、上記コンテンツを構成する複数のコンポーネントを取得する取得ステップと、上記コンテンツを記録する記録方式を選択する選択ステップと、上記選択ステップにて第１の記録方式を選択した場合、上記複数のコンポーネントを一体化して記録し、上記選択ステップにて第２の記録方式を選択した場合、上記複数のコンポーネントの各々を個別に記録する記録ステップと、を含んでいる、ことを特徴とする。
【００１０】
コンテンツを構成する複数のコンポーネントは、一体化して記録することもできるし、個別に記録することもできる。いずれで記録することが適当かは、ユーザ又はプロバイダの意向によって異なる。上記の構成によれば、これらのコンポーネントを一体化して記録するか個別に記録するかを選択することができる。特に、この選択をユーザからの指示に基づいて行う場合には、コンテンツを記録した以降、ユーザが望む状態で再生することが可能になる。また、この選択をプロバイダからの指示に基づいて行う場合には、記録装置に記録した以降も、プロバイダが望む状態でコンテンツを再生させることが可能になる。
【００１１】
本発明に係る記録装置において、上記取得手段は、上記コンテンツの記録方式を指定する記録方式指定情報を更に取得し、上記選択手段は、上記記録方式指定情報によって指定された記録方式を選択する、ことが好ましい。
【００１２】
上記構成によれば、コンテンツを記録装置に記録後も、プロバイダなど上記記録方式指定情報の設定者が望む状態でコンテンツを再生させることが可能になる。また、ユーザが記録方式を選択するための操作を行う必要がないので、ユーザによる記録装置の操作が簡便になる。
【００１３】
本発明に係る記録装置において、上記取得手段は、上記複数のコンポーネントの間の相互関係を示す相互関係情報であって、上記コンテンツを一体化するために参照される相互関係情報を取得し、上記記録手段は、上記選択手段が上記第２の記録方式を選択した場合、上記相互関係情報を上記複数のコンポーネントと共に記録する、ことが好ましい。
【００１４】
上記の構成によれば、上記第２の記録方式に従って記録されたコンテンツを、事後的に一体化して再生することが可能になる。
【００１５】
本発明に係る記録装置において、上記複数のコンポーネントは、再取得可能なコンポーネントと再取得不能なコンポーネントとからなり、上記記録手段は、上記選択手段が第２の記録方式を選択した場合、上記再取得不能なコンポーネントの各々を個別に記録する、ことが好ましい。
【００１６】
上記の構成によれば、上記再取得可能なコンポーネントを事後的に再取得することによって、上記第２の記録方式に従って記録されたコンテンツを、事後的に（非リアルタイム再生時に）一体化して再生することが可能になる。なお、上記「再取得」は、リアルタイム再生後における取得を意味し、例えばリアルタイム再生時に取得できなかった（あるいは取得しなかった）コンポーネントを、リアルタイム再生後の任意のタイミングで取得することも上記「再取得」に含まれる。
【００１７】
本発明に係る記録装置において、上記複数のコンポーネントは、低品質再生用のコンポーネントと高品質再生用のコンポーネントとからなり、上記取得手段は、上記コンテンツを記録する際、伝送路の状態に応じて上記高品質再生用のコンポーネントを取得するか否かを選択し、上記コンテンツを再生する際、未取得の上記高品質再生用のコンポーネントを取得する、ことが好ましい。
【００１８】
上記構成によれば、記録時に上記高品質再生用のコンポーネントを取得しなかった場合でも、再生時に上記高品質再生用のコンポーネントを取得することによって、コンテンツの高品質再生を実現することができる。
【００１９】
本発明に係る記録装置において、上記選択手段は、伝送路の状態または上記記録装置の状態に応じて、上記記録方式指定情報によって指定された記録方式を選択するか否かを判断し、選択しないと判断した場合には、当該記録方式指定情報によって指定された記録方式とは異なる記録方式を選択し、上記記録部は、上記選択手段が、上記記録方式指定情報によって指定された記録方式とは異なる記録方式を選択した場合には、当該異なる記録方式を示す情報を更に記録する、ことが好ましい。
【００２０】
上記構成によれば、伝送路の状態または上記記録装置の状態に応じて、記録方式指定情報によって指定された記録方式を選択するか否かを判断し、選択しないと判断した場合には、当該記録方式指定情報によって指定された記録方式とは異なる記録方式を選択する。このため、記録方式指定情報によって指定された記録方式が、現在の伝送路の状態または記録装置の状態に適さない場合に、適切な記録方式を適用することが可能になる。
【００２１】
また、上記の構成によれば、記録方式指定情報によって指定された記録方式とは異なる記録方式を選択した場合には、当該異なる記録方式を示す情報を更に記録するので、この情報を参照することによって、実際の記録方式に応じた適切な再生を行うことが可能になる。
【００２２】
上記課題を解決するために、本発明に係る配信装置は、複数のコンポーネントにより構成されるコンテンツを配信する配信装置であって、上記複数のコンポーネントを一体化して記録するか、上記複数のコンポーネントの各々を個別に記録するかを指定する記録方式指定情報を、上記コンテンツを記録する記録装置に提供する提供手段を備えている、ことを特徴とする。
【００２３】
上記構成によれば、プロバイダなど上記配信装置の操作者が望む状態でコンテンツを記録装置に記録させ、再生させることが可能になる。また、ユーザが記録方式を選択するための操作を行う必要がないので、ユーザによる記録装置の操作が簡便になる。
【００２４】
なお、本発明に係る記録装置は、プログラムを用いて実現することができる。コンピュータを本発明に係る記録装置として動作させるためのプログラム、及び、そのようなプログラムを記録した記録媒体も本発明の範疇に含まれる。
【発明の効果】
【００２５】
以上のように、本発明に係る記録装置は、コンテンツを構成する複数のコンポーネントを取得する取得手段と、上記コンテンツを記録する記録方式を選択する選択手段と、上記選択手段が第１の記録方式を選択した場合、上記複数のコンポーネントを一体化して記録し、上記選択手段が第２の記録方式を選択した場合、上記複数のコンポーネントの各々を個別に記録する記録手段と、を備えている。
【００２６】
また、本発明に係る記録方法は、上記記録装置がコンテンツを記録する記録方法であって、上記コンテンツを構成する複数のコンポーネントを取得する取得ステップと、上記コンテンツを記録する記録方式を選択する選択ステップと、上記選択ステップにて第１の記録方式を選択した場合、上記複数のコンポーネントを一体化して記録し、上記選択ステップにて第２の記録方式を選択した場合、上記複数のコンポーネントの各々を個別に記録する記録ステップと、を含んでいる。
【００２７】
また、本発明に係る記録装置は、コンテンツの記録方式を指定する記録方式指定情報を取得する取得手段を備えている。
【００２８】
したがって、ユーザ（視聴者）又はプロバイダ（配信者）が望む状態でコンテンツを再生することができるよう、コンテンツを記録することができる。
【図面の簡単な説明】
【００２９】
【図１】第１の実施形態に係る記録装置の構成を示すブロック図である。
【図２】第２の実施形態に係る記録装置の構成を示すブロック図である。
【図３】第３の実施形態に係る記録装置の構成を示すブロック図である。
【図４】第４の実施形態に係る記録装置の構成を示すブロック図である。
【発明を実施するための形態】
【００３０】
〔第１の実施形態〕
本発明の第１の実施形態（以下、「本実施形態」と記載）に係る記録装置１について、図１を参照して説明する。図１は、本実施形態に係る記録装置１の構成を示すブロック図である。
【００３１】
記録装置１は、複数のコンポーネントからなるコンテンツＣを記録する記録装置である。これらのコンポーネントは、配信装置２及び配信装置３の何れかより配信される。以下、これらのコンポーネントのうち、配信装置２から配信されるものをコンポーネントＣＡ１，ＣＡ２，…と記載し、配信装置３から配信されるものをコンポーネントＣＢ１，ＣＢ２，…と記載する。
【００３２】
ここで、コンテンツＣ及びコンポーネントＣＡ，ＣＢとは、広義には、データ一式が揃った状態で表示されるものと、その各要素データとを指す。記録装置１は、コンポーネントの各要素データを同期、合成してコンテンツを表示する。
【００３３】
コンテンツＣは、例えば、スケーラブル符号化された動画である。本実施形態においては、ベースレイヤを構成するコンポーネントＣＡ１，ＣＡ２，…，ＣＡｎが配信装置２から配信され、エンハンスメントレイヤを構成するコンポーネントＣＢ１，ＣＢ２，…，ＣＢｎが配信装置３から配信される。ここで、コンポーネントＣＡｉは、期間Ｔｉに対応するベースレイヤであり、コンポーネントＣＢｉは期間Ｔｉに対応するエンハンスメントレイヤである。記録装置１は、再生時に、コンポーネントＣＡｉとコンポーネントＣＢｉとを参照することによって、期間Ｔｉに対応するコンテンツＣｉを高品質再生する。
【００３４】
配信装置２は、コンポーネントＣＡ１，ＣＡ２，…，ＣＡｎをブロードキャスト配信する配信装置である。各コンポーネントＣＡｉのブロードキャスト配信は、記録装置１からの要求とは無関係に、配信装置２が決定したタイミングで行われる。すなわち、記録装置１が各コンポーネントＣＡｉを取得し得るタイミングは、配信装置２が該コンポーネントＣＡｉをブロードキャスト配信するタイミングに限られる。なお、本実施形態において、コンポーネントＣＡ１，ＣＡ２，…，ＣＡｎのブロードキャスト配信は、地上波デジタル放送などの放送により実現されるものとする。
【００３５】
配信装置３は、コンポーネントＣＢ１，ＣＢ２，…，ＣＢｎをユニキャスト配信する配信装置である。各コンポーネントＣＢｉのユニキャスト配信は、記録装置１からの（図示しない送信部を通して出力される）要求に応じて行われる。すなわち、記録装置１が各コンポーネントＣＢｉを取得し得るタイミングは、要求を出す任意のタイミングである。なお、本実施形態において、コンポーネントＣＢ１，ＣＢ２，…，ＣＢｎのユニキャスト配信は、ＴＣＰ／ＩＰ通信などの通信により実現されるものとする。
【００３６】
記録装置１は、コンテンツＣを３つの記録モードの何れかで記録する。第１の記録モードは、合成後の（本例では、ベースレイヤＣＡ、エンハンスメントレイヤＣＢを元に復号、再生処理された後の）コンテンツＣを表すコンテンツデータを記録するモードである。第２の記録モードは、合成前のコンポーネントＣＡ１，ＣＡ２，…，ＣＡｎ及びコンポーネントＣＢ１，ＣＢ２，…，ＣＢｎの両方を記録するモードである。第３の記録モードは、合成前のコンポーネントＣＡ１，ＣＡ２，…，ＣＡｎのみを記録するモードである。コンテンツＣを第３の記録モードで記録した場合、後述するように、コンポーネントＣＢ１，ＣＢ２，…，ＣＢｎは再生時に取得されることになる。以下、第１の記録モードのことを「コンテンツ記録方式」（第１の記録方式）とも記載する。また、第２の記録モード及び第３の記録モードのことを「コンポーネント記録方式」（第２の記録方式）とも記載する。
【００３７】
本実施形態においては、記録装置１が選択すべき記録モードを指定する記録モード指定情報（記録方式指定情報）ＣＸが、コンポーネントＣＡ１，ＣＡ２，…，ＣＡｎと共に配信装置２から配信される。つまり、配信装置２は、記録装置１に記録モード指定情報を提供する提供手段を備えている。記録装置１は、この記録モード指定情報ＣＸを参照することによって、コンテンツＣを記録する際の記録モードを選択する。また、コンポーネントＣＡ１，ＣＡ２，…，ＣＡｎ，ＣＢ１，ＣＢ２，…，ＣＢｎ間の相互関係を示すコンフィギュレーション情報（相互関係情報）ＣＹが、コンポーネントＣＡ１，ＣＡ２，…，ＣＡｎと共に配信装置２から配信される。コンフィグレーション情報ＣＹが示すコンポーネント間の相互関係とは、例えば複数映像の配置、複数音響の排他関係、文字字幕の画面位置等であり、ここでは、ＣＡｉ，ＣＢｉがベースレイヤ、エンハンスメントレイヤの依存関係にあるデータストリームであることを示す。さらに、コンフィグレーション情報ＣＹは、コンポーネントＣＢ１，ＣＢ２，…，ＣＢｎを他経路で取得する際に、該コンポーネントの送信を要求可能な配信元（ここでは配信装置３）を示す情報を含む。なお、コンフィグレーション情報ＣＹに記載される配信元の情報は、再生に必要なコンポーネントの配信元（必要なコンポーネントを取得できるプロバイダ等）を示すものであればよい。例えば、コンフィグレーション情報ＣＹに記載される配信元の情報は、コンポーネントが配信される経路に応じたものであってもよい。また、例えば、コンフィグレーション情報ＣＹに記載される配信元の情報は、コンポーネントＣＡ１，ＣＡ２，…，ＣＡｎ、および、コンポーネントＣＢ１，ＣＢ２，…，ＣＢｎの配信元（ここでは配信装置２及び３）を示す情報を共に含んでもよい。
【００３８】
記録装置１は、このコンフィギュレーション情報ＣＹを参照することによって、コンテンツＣｉを再生するために参照すべきコンポーネントがＣＡｉとＣＢｉであることを知る。また、ＣＹに記載される配信元の情報により、コンポーネントＣＡｉおよびＣＢｉを取得することが可能になる。
【００３９】
記録装置１は、図１に示すように、受信部（取得手段）１１Ａ、受信部（取得手段）１１Ｂ、記録部（選択手段、記録手段）１２、記録媒体１３、再生部１４、及び表示部１５、を備えている。なお、本実施形態においては、記録媒体１３及び表示部１５を記録装置１に内蔵する構成を採用しているが、これに限定されない。すなわち、記録装置１に内蔵された記録媒体１３及び表示部１５に代えて、記録装置１に着脱可能な記録媒体及びディスプレイを用いてもよい。
【００４０】
受信部１１Ａは、配信装置２からコンポーネントＣＡ１，ＣＡ２，…，ＣＡｎを取得するための手段であり、例えば、チューナである。受信部１１Ａは、不図示のバッファを備えており、受信したコンポーネントＣＡｉは、一定期間、このバッファに蓄積される。また、受信部１１Ａは、配信装置２から記録モード指定情報ＣＸ及びコンフィギュレーション情報ＣＹを受信する。このとき、記録モード指定情報ＣＸがコンフィギュレーション情報ＣＹに含まれて、記録モード指定情報ＣＸを含むコンフィギュレーション情報ＣＹを受信するとしてもよい。受信部１１Ａが受信した記録モード指定情報ＣＸは、記録部１２に供給されると共に、非リアルタイム再生時の参照に備えて記録媒体１３に記録される。また、受信部１１Ａが受信したコンフィギュレーション情報ＣＹは、記録モード指定情報ＣＸによって第１の記録モードが指定されている場合を除き、非リアルタイム再生時の参照に備えて記録媒体１３に記録される。なお、ここで言う非リアルタイム再生とは、記録後に再生することを指し、リアルタイム再生に相対する用語として使用する。
【００４１】
受信部１１Ｂは、配信装置３から配信されたコンポーネントＣＢ１，ＣＢ２，…，ＣＢｎを取得するための手段であり、例えば、無線ＬＡＮモジュールである。受信部１１ＢがコンポーネントＣＢｉを取得するタイミングは、コンフィギュレーション情報ＣＹを参照して記録装置１がコンポーネントＣＢの配信を要求したタイミングであり、受信部１１ＡがコンポーネントＣＡｉを取得した（即ち記録する）タイミング、及び、第３の記録モードで記録されたコンテンツＣｉが非リアルタイム再生されるタイミングである。受信部１１Ｂも、不図示のバッファを備えており、受信したコンポーネントＣＢｉは、一定期間、このバッファに蓄積される。
【００４２】
記録部１２は、コンテンツＣを何れの記録モードで記録するかを、受信部１１Ａから供給された記録モード指定情報ＣＸを参照して選択する。そして、（１）第１の記録モードを選択した場合、再生部１４が合成したコンテンツＣｉを表すコンテンツデータを記録媒体１３に記録する。また、（２）第２の記録モードを選択した場合、受信部１１Ａが受信したコンポーネントＣＡｉと受信部１１Ｂが受信したコンポーネントＣＢｉとを記録媒体１３に記録する。また、（３）第３の記録モードを選択した場合、受信部１１Ａが受信したコンポーネントＣＡｉのみを記録媒体１３に記録する。
【００４３】
このとき、通信が一時的に接続不可となり、コンポーネントＣＢｉが取得できない状況も起こり得る。その場合、第１の記録モードについては、コンポーネントＣＡｉのみで再生されるコンテンツＣｉのコンテンツデータが記録される。また、第２の記録モードについては、受信されなかったコンポーネントＣＢｉを別途適当なタイミングで取得し、後から記録する。適当なタイミングには、通信が回復した直後に即取得する、夜間など帯域に余裕のある時間帯にまとめて取得する、クライアント（記録装置１）もしくはサーバ（配信装置２、３）が別途指定した時間帯にまとめて取得する、などが想定される。
【００４４】
再生部１４は、コンテンツＣのリアルタイム再生と非リアルタイム再生とを行う。リアルタイム再生を行う場合、再生部１４は、受信部１１Ａのバッファから読み出したコンポーネントＣＡｉと受信部１１Ｂのバッファから読み出したコンポーネントＣＢｉとを合成することによってコンテンツＣｉを再生する。再生部１４が合成したコンテンツＣｉは、表示部１５と記録部１２とに供給される。表示部１５は、再生部１４が合成したコンテンツＣｉを表示する。
【００４５】
一方、非リアルタイム再生を行う場合、再生部１４は、コンテンツＣが何れの記録モードで記録されたものであるかを、記録媒体１３に記録された記録モード指定情報ＣＸを参照して特定する。そして、（１）コンテンツＣが第１の記録モードで記録されたものである場合、再生部１４は、記録媒体１３から読み出したコンテンツデータからコンテンツＣｉを再生する。また、（２）コンテンツＣが第２の記録モードで記録されたものである場合、再生部１４は、記録媒体１３から読み出したコンポーネントＣＡｉとコンポーネントＣＢｉとを合成することによってコンテンツＣｉを再生する。このとき、コンフィギュレーション情報ＣＹの相互関係を示す情報を参照する。また、（３）コンテンツＣが第３の記録モードで記録されたものである場合、記録装置１はコンフィギュレーション情報ＣＹの配信元情報を参照してコンポーネントＣＢｉを配信装置３に要求し、再生部１４は、記録媒体１３から読み出したコンポーネントＣＡｉと、新たに受信された受信部１１Ｂのバッファから読み出したコンポーネントＣＢｉとを合成することによってコンテンツＣｉを再生する。このとき、再生部１４は、コンテンツＣｉを再生するために参照すべきコンポーネントＣＡｉ及びコンポーネントＣＢｉを、記録媒体１３に記録されたコンフィギュレーション情報ＣＹの相互関係を示す情報を参照して特定する。
【００４６】
なお、本実施形態においては、スケーラブル符号化された動画を記録対象として例示したが、記録対象となるコンテンツはこれに限定されない。例えば、３Ｄ動画（立体視可能な動画）を記録対象とすることができる。この場合、例えば、左目用映像（主映像）を構成するコンポーネントを配信装置２からブロードキャスト配信し、右目用映像（副映像）を構成するコンポーネントを配信装置３からユニキャスト配信する構成が考えられる。また、地上波デジタル放送において実施されているように、番組映像を構成するコンポーネントを配信装置２からブロードキャスト配信し、付加情報（番組解説、類似のお勧め番組、広告、ニュース、天気予報など）を構成するコンポーネントを配信装置３からユニキャスト配信する構成を採用してもよい。
【００４７】
上記のような記録対象を想定した場合、第１の記録モードは、記録後にコンポーネント単体で利用しない場合、例えば以下のような場合に適している。即ち、スケーラブル符号化映像コンテンツで、ベースレイヤデータ単体での再生を記録後不可とする場合、あるいは、リアルタイム限定の映像コンテンツで、記録後の付加情報その他の差替えを明示的に禁止しているような場合である。
【００４８】
また、第２の記録モードは、記録後にもコンポーネント単体での利用を可能とする場合、例えば以下のような場合に適している。即ち、スケーラブル符号化映像コンテンツで、ベースレイヤデータ単体での再生を記録後も可能とする場合（ベースレイヤデータのみモバイル端末に持ち出すといった利用も想定に含まれる）、あるいは、コンポーネントが映像コンテンツとその関連情報（付加情報の一種）といった関係にあり、記録後に関連情報の表示／非表示を切り替えての視聴を想定する場合である。
【００４９】
そして、第３の記録モードは、記録後にも再生時点でコンポーネントの差し替えを行う必要あるいは要求がある場合、例えば以下のような場合に適している。即ち、ＣＭやトレーラなど、適切な再生コンポーネントが時間、場所に応じて変化するもので、その都度差替えるような場合である。天気などの地域情報、また、時々刻々と変わる世評情報なども差し替えコンポーネントの対象となる。
【００５０】
このように、コンテンツに応じた記録モードで記録することにより、ユーザ（視聴者）又はプロバイダ（配信者）が望む状態でコンテンツを再生することが可能になる。
【００５１】
また、本実施形態においては、コンポーネントＣＡ１，ＣＡ２，…，ＣＡｎを、放送によりブロードキャスト配信する構成を採用しているが、コンポーネントＣＡ１，ＣＡ２，…，ＣＡｎの配信形態はこれに限定されない。すなわち、コンポーネントＣＡ１，ＣＡ２，…，ＣＡｎを、放送によりブロードキャスト配信する構成に代えて、通信によりブロードキャスト配信（一斉同報配信）する構成を採用してもよいし、通信によりマルチキャスト配信する構成を採用してもよい。要は、コンポーネントＣＡ１，ＣＡ２，…，ＣＡｎを再取得不能な形態で配信する構成であれば、どのような構成であっても本発明を適用するメリットがある。
【００５２】
また、本実施形態においては、コンポーネントＣＢ１，ＣＢ２，…，ＣＢｎを、通信によりユニキャスト配信する構成を採用しているが、コンポーネントＣＢ１，ＣＢ２，…，ＣＢｎの配信形態はこれに限定されない。すなわち、コンポーネントＣＢ１，ＣＢ２，…，ＣＢｎを、通信によりユニキャスト配信する構成に代えて、通信によりマルチキャスト配信（ただし、オンデマンドなマルチキャスト配信に限る）する構成を採用してもよい。要は、コンポーネントＣＢ１，ＣＢ２，…，ＣＢｎを再取得が可能な（非リアルタイム再生時の取得が可能な）形態で配信する構成であれば、どのような構成であっても本発明を適用する妨げとはならない。
【００５３】
また、本実施形態においては、記録モード指定情報ＣＸ及びコンフィギュレーション情報ＣＹを、コンポーネントＣＡ１，ＣＡ２，…，ＣＡｎと共に配信装置２から配信する構成を採用しているが、記録モード指定情報ＣＸ及びコンフィギュレーション情報ＣＹの配信形態はこれに限定されない。すなわち、記録モード指定情報ＣＸ及びコンフィギュレーション情報ＣＹを、コンポーネントＣＡ１，ＣＡ２，…，ＣＡｎと共に配信装置２から配信する構成に代えて、コンポーネントＣＢ１，ＣＢ２，…，ＣＢｎと共に配信装置３から配信する構成を採用してもよいし、配信装置２及び配信装置３の何れとも異なる第３の配信装置から配信する構成を採用してもよい。ただし、コンフィギュレーション情報ＣＹが放送（配信装置２）以外で配信される場合、記録装置１は、そのコンフィギュレーション情報ＣＹに関連する通信（コンポーネントの配信）があることを知らなければ、コンポーネントを要求することができない。このため、このような場合には、放送（配信装置２）から通信を開始するトリガを別途送信する構成としてもよい。また、それぞれ別々に、コンフィギュレーション情報ＣＹを配信装置２から、記録モード指定情報ＣＸを配信装置３から配信するとしてもよいし、その逆でもよい。また、記録モード指定情報ＣＸ、及びコンフィギュレーション情報ＣＹを配信するタイミングに関しても、コンポーネントＣＡ１，ＣＡ２，…，ＣＡｎ，ＣＢ１，ＣＢ２，…，ＣＢｎの配信タイミングに縛られるものではない。即ち、コンポーネントＣＡ１，ＣＡ２，…，ＣＡｎ，ＣＢ１，ＣＢ２，…，ＣＢｎの配信に先立って記録モード指定情報ＣＸ、コンフィギュレーション情報ＣＹのいずれか、もしくはいずれもが事前に配信されて、しかる後にコンポーネントＣＡ１，ＣＡ２，…，ＣＡｎ，ＣＢ１，ＣＢ２，…，ＣＢｎが配信される形態をとってもよい。
【００５４】
〔第２の実施形態〕
本発明の第２の実施形態（以下、「本実施形態」と記載）に係る記録装置２０について、図２を参照して説明する。図２は、本実施形態に係る記録装置２０の構成を示すブロック図である。なお、上記実施形態と同様の構成については同一の参照番号を付し、その説明を省略する。
【００５５】
記録装置２０は、第１の実施形態と同様、複数のコンポーネントからなるコンテンツＣを記録する記録装置である。これらのコンポーネントは、第１の実施形態と同様、配信装置２及び配信装置３の何れかより配信される。以下、これらのコンポーネントのうち、配信装置２から配信されるものをコンポーネントＣＡ１，ＣＡ２，…と記載し、配信装置３から配信されるものをコンポーネントＣＢ１，ＣＢ２，…と記載する。
【００５６】
コンテンツＣは、第１の実施形態と同様、スケーラブル符号化された動画である。本実施形態においても、ベースレイヤを構成するコンポーネントＣＡ１，ＣＡ２，…，ＣＡｎが配信装置２から配信され、エンハンスメントレイヤを構成するコンポーネントＣＢ１，ＣＢ２，…，ＣＢｎが配信装置３から配信される。ここで、コンポーネントＣＡｉは、期間Ｔｉに対応するベースレイヤであり、コンポーネントＣＢｉは期間Ｔｉに対応するエンハンスメントレイヤである。
【００５７】
本実施形態に係る記録装置２０は、コンテンツＣをリアルタイム再生する際に再生品質のアダプテーションを行う。すなわち、利用可能な通信帯域の帯域幅が予め定められた閾値以上であるときには、コンポーネントＣＡｉ及びコンポーネントＣＢｉの両方を取得することによってコンテンツＣｉを高品質再生する。一方、利用可能な通信帯域の帯域幅が予め定められた帯域幅以下であるときには、コンポーネントＣＡｉのみを取得することによってコンテンツＣｉを低品質再生する。これは期間Ｔｉごとに判断され処理される。これにより、利用可能な通信帯域の帯域幅が変動した場合であっても、コンテンツＣの再生が途切れない。このＣＡｉ、ＣＢｉの対応関係を示すのがコンフィグレーション情報ＣＹであり、記録装置２０は、リアルタイム受信時あるいはそれ以前の任意の時点でコンフィギュレーション情報ＣＹを受信し、コンフィグレーション情報ＣＹに基づいてＣＡｉ、ＣＢｉの両方を取得するか、ＣＡｉのみを取得するか（ＣＢｉの要求を中止するか）を決定する。
【００５８】
配信装置２は、コンポーネントＣＡ１，ＣＡ２，…，ＣＡｎをブロードキャスト配信する配信装置である。各コンポーネントＣＡｉの配信は、記録装置２０からの要求無しに、配信装置２が決定したタイミングで行われる。すなわち、記録装置２０が各コンポーネントＣＡｉを取得し得るタイミングは、配信装置２が該コンポーネントＣＡｉをブロードキャスト配信するタイミングに限られる。なお、本実施形態において、コンポーネントＣＡ１，ＣＡ２，…，ＣＡｎのブロードキャスト配信は、ＴＣＰ／ＩＰ通信などの通信により実現されるものとする。
【００５９】
配信装置３は、コンポーネントＣＢ１，ＣＢ２，…，ＣＢｎをユニキャスト配信する配信装置である。各コンポーネントＣＢｉの配信は、記録装置２０からの要求に応じて行われる。この要求は、コンフィギュレーション情報ＣＹに基づいて決定され、リアルタイム再生時、または記録後の任意のタイミングで生起される。即ち、コンフィグレーション情報ＣＹには、リアルタイム再生時及び記録後にコンポーネントＣＢｉを要求可能な配信装置３を示す情報が含まれる。本実施形態において、コンポーネントＣＢ１，ＣＢ２，…，ＣＢｎのユニキャスト配信は、ＴＣＰ／ＩＰ通信などの通信により実現されるものとする。
【００６０】
なお、図２では、配信装置２、配信装置３を別の装置として図示したが、単一の配信装置がコンポーネントＣＡ１，ＣＡ２，…，ＣＡｎ，ＣＢ１，ＣＢ２，…，ＣＢｎを配信する構成でもよい。
【００６１】
記録装置２０は、コンテンツＣを２つの記録モードの何れかで記録する。第１の記録モードは、合成後のコンテンツＣを表すコンテンツデータを記録するモードである。本実施形態では、再生品質のアダプテーションが行われるため、合成後のコンテンツＣには、高品質再生可能な期間Ｔｉ（コンポーネントＣＢｉの取得／記録を実行した期間に対応）と高品質再生不能な期間Ｔｊ（コンポーネントＣＢｊの取得／記録を中止した期間に対応）とが混在する。第２の記録モードは、合成前のコンポーネントＣＡ１，ＣＡ２，…，ＣＡｎ及びコンポーネントＣＢ１，ＣＢ２，…，ＣＢｎを個別に記録するモードである。ただし、アダプテーションにより取得を中止したコンポーネントＣＢｉは、記録媒体１３に記録されず、非リアルタイム再生時に受信部２１によって取得される。以下、第１の記録モードのことを「コンテンツ記録方式」（第１の記録方式）とも記載する。また、第２の記録モードのことを「コンポーネント記録方式」（第２の記録方式）とも記載する。
【００６２】
本実施形態においては、記録装置２０が選択すべき記録モードを指定する記録モード指定情報ＣＸが、コンポーネントＣＡ１，ＣＡ２，…，ＣＡｎと共に配信装置２から配信される。記録装置２０は、この記録モード指定情報ＣＸを参照することによって、コンテンツＣを記録する際の記録モードを選択する。また、コンポーネントＣＡ１，ＣＡ２，…，ＣＡｎ，ＣＢ１，ＣＢ２，…，ＣＢｎ間の相互関係を示すコンフィギュレーション情報ＣＹが、コンポーネントＣＡ１，ＣＡ２，…，ＣＡｎと共に配信装置２から配信される。記録装置２０は、このコンフィギュレーション情報ＣＹを参照することによって、コンテンツＣｉを再生するために参照すべきコンポーネントがＣＡｉとＣＢｉであることを知る。
【００６３】
記録装置２０は、図２に示すように、受信部２１、記録部２２、記録媒体１３、再生部２４、及び表示部１５、を備えている。なお、本実施形態においては、記録媒体１３及び表示部１５を記録装置２０に内蔵する構成を採用しているが、これに限定されない。すなわち、記録装置２０に内蔵された記録媒体１３及び表示部１５に代えて、記録装置２０に着脱可能な記録媒体及びディスプレイを用いてもよい。
【００６４】
受信部２１は、配信装置２から配信されたコンポーネントＣＡ１，ＣＡ２，…，ＣＡｎを取得するため、及び、配信装置３から配信されたコンポーネントＣＢ１，ＣＢ２，…，ＣＢｎを取得するための手段であり、例えば、無線ＬＡＮモジュールである。受信部２１は、不図示のバッファを備えており、受信したコンポーネントＣＡｉおよびＣＢｉは、一定期間、このバッファに蓄積される。また、受信部２１は、配信装置２から記録モード指定情報ＣＸ及びコンフィギュレーション情報ＣＹを受信する。なお、記録モード指定情報ＣＸがコンフィギュレーション情報ＣＹに含まれている場合には、記録モード指定情報ＣＸを含むコンフィギュレーション情報ＣＹを受信する。つまり、記録モード指定情報ＣＸとコンフィギュレーション情報ＣＹは一体のデータとして受信してもよい。受信部２１が受信した記録モード指定情報ＣＸは、記録部２２に供給されると共に、非リアルタイム再生時の参照に備えて記録媒体１３に記録される。また、受信部２１が受信したコンフィギュレーション情報ＣＹは、記録モード指定情報ＣＸによって第１の記録モードが指定されている場合を除き、非リアルタイム再生時の参照に備えて記録媒体１３に記録される。
【００６５】
なお、受信部２１がコンポーネントＣＢｉを取得するタイミングは、コンテンツＣｉを受信しリアルタイム再生するタイミング、及び、第２の記録モードで記録されたコンテンツＣｉが非リアルタイム再生されるタイミングである。
【００６６】
記録部２２は、コンテンツＣを何れの記録モードで記録するかを、受信部２１から供給された記録モード指定情報ＣＸを参照して選択する。そして、（１）第１の記録モードを選択した場合、再生部２４が再生したコンテンツＣを表すコンテンツデータを記録媒体１３に記録する。また、（２）第２の記録モードを選択した場合、受信部２１が受信したコンポーネントＣＡｉ及びコンポーネントＣＢｉを記録媒体１３に記録する。ただし、アダプテーションによってコンポーネントＣＢｉの取得が中止された場合には、コンポーネントＣＡｉのみを記録媒体１３に記録する。なお、図２では、第２の記録モードを指定する記録モード指定情報ＣＸと共に、コンポーネントＣＡｉおよびコンポーネントＣＢｉの両方、またはＣＡｉのみを記録する記載としているが、これは、同一の期間Ｔｉに対しては、コンポーネントＣＡｉおよびコンポーネントＣＢｉの両方、またはＣＡｉのみが記録される、ということを示している。アダプテーションを行った場合には、コンポーネントＣＡｉおよびコンポーネントＣＢｉの両方が記録された期間と、ＣＡｉのみ記録された期間とが生じ、期間それぞれでのコンポーネントがコンテンツの総再生期間に亘って記録される。
【００６７】
再生部２４は、コンテンツＣのリアルタイム再生と非リアルタイム再生とを行う。リアルタイム再生を行う場合、再生部２４は、受信部２１のバッファから読み出したコンポーネントＣＡｉとコンポーネントＣＢｉとを合成することによってコンテンツＣｉを高品質再生する。ただし、アダプテーションによってコンポーネントＣＢｉの取得が中止された期間には、受信部２１のバッファから読み出したコンポーネントＣＡｉのみからコンテンツＣｉを低品質再生する。再生部２４が合成したコンテンツＣｉは、表示部１５と記録部２２とに供給される。表示部１５は、再生部２４が合成したコンテンツＣｉを表示する。
【００６８】
一方、非リアルタイム再生を行う場合、再生部２４は、コンテンツＣが何れの記録モードで記録されたものであるかを、記録媒体１３に記録された記録モード指定情報ＣＸを参照して特定する。そして、（１）コンテンツＣが第１の記録モードで記録されたものである場合、再生部２４は、記録媒体１３から読み出したコンテンツデータからコンテンツＣｉを再生する。また、（２）コンテンツＣが第２の記録モードで記録されたものである場合、再生部２４は、記録媒体１３から読み出したコンポーネントＣＡｉとコンポーネントＣＢｉとを合成することによってコンテンツＣｉを高品質再生する。コンポーネントＣＢｉが記録媒体１３に記録されていない期間（すなわち、アダプテーションによってコンポーネントＣＢｉの取得が中止された期間）には、配信装置３にコンポーネントＣＢｉを要求し、受信部２１がこれを受信する。そして、この受信部２１のバッファから読み出したコンポーネントＣＢｉと、記録媒体１３から読み出したコンポーネントＣＡｉとを合成することによってコンテンツＣｉを高品質再生する。なお、再生部２４は、コンテンツＣｉを再生するために参照すべきコンポーネントＣＡｉ及びコンポーネントＣＢｉを、記録媒体１３に記録されたコンフィギュレーション情報ＣＹを参照して特定する。
【００６９】
非リアルタイム再生時において取得の必要が生じるコンポーネントは、コンポーネントＣＢｉのみである。仮に非リアルタイム再生時点で通信帯域の帯域幅が狭いことが想定される場合には、非リアルタイム再生の事前の通信帯域の帯域幅に余裕がある時点で、もしくは事前に必要な通信時間をかけて取得しておくことで、非リアルタイム再生時に支障が生じることを回避することができる。例えば、必要な帯域幅が確保可能となったときに取得してもよいし、帯域幅に余裕がある可能性の高い夜間などに取得してもよい。また、配信装置２または３、あるいは記録装置２０が取得の時間帯を指定してもよい。
【００７０】
なお、本実施形態においては、スケーラブル符号化された動画を記録対象として例示したが、記録対象となるコンテンツはこれに限定されない。例えば、３Ｄ動画伝送において帯域が狭まった際に、受信を左目用映像（主映像）のみとし右目用映像（副映像）の配信を一時的に止めたり、映画映像に監督のコメンタリ映像がピクチャインピクチャ表示されるといった配信連動の付加サービスにおいて、帯域が狭まった場合にコメンタリ映像（付加映像）の配信を一時的に止めたり、といった利用形態での適用が考えられる。
【００７１】
また、本実施形態においては、配信装置２が、コンポーネントＣＡ１，ＣＡ２，…，ＣＡｎを、通信によりブロードキャスト配信する構成を採用しているが、コンポーネントＣＡ１，ＣＡ２，…，ＣＡｎの配信形態はこれに限定されない。すなわち、コンポーネントＣＡ１，ＣＡ２，…，ＣＡｎを、通信によりブロードキャスト配信する構成に代えて、通信によりマルチキャスト配信する構成を採用してもよいし、放送によりブロードキャスト配信する構成を採用してもよい。要は、コンポーネントＣＡ１，ＣＡ２，…，ＣＡｎ，ＣＢ１，ＣＢ２，…，ＣＢｎをアダプテーション可能な形態で配信する構成であれば、どのような構成であっても本発明を適用するメリットがある。
【００７２】
また、本実施形態においては、配信装置３が、コンポーネントＣＢ１，ＣＢ２，…，ＣＢｎを、通信によりユニキャスト配信する構成を採用しているが、コンポーネントＣＢ１，ＣＢ２，…，ＣＢｎの配信形態はこれに限定されない。すなわち、コンポーネントＣＢ１，ＣＢ２，…，ＣＢｎを、通信によりユニキャスト配信する構成に代えて、通信によりマルチキャスト配信（ただし、オンデマンドなマルチキャスト配信に限る）する構成を採用してもよい。要は、コンポーネントＣＢ１，ＣＢ２，…，ＣＢｎを再取得が可能な（非リアルタイム再生時の取得が可能な）形態で配信する構成であれば、どのような構成であっても本発明を適用する妨げとはならない。
【００７３】
また、本実施形態においては、記録モード指定情報ＣＸ及びコンフィギュレーション情報ＣＹを、コンポーネントＣＡ１，ＣＡ２，…，ＣＡｎと共に配信装置２から配信する構成を採用しているが、記録モード指定情報ＣＸ及びコンフィギュレーション情報ＣＹの配信形態はこれに限定されない。すなわち、記録モード指定情報ＣＸ及びコンフィギュレーション情報ＣＹを、配信装置３から配信する構成を採用してもよいし、配信装置２及び配信装置３の何れとも異なる第３の配信装置から配信する構成を採用してもよい。それぞれ別々に、コンフィギュレーション情報ＣＹを配信装置２から、記録モード指定情報ＣＸを配信装置３から配信するとしてもよいし、その逆でもよい。記録モード指定情報ＣＸ、及びコンフィギュレーション情報ＣＹを配信するタイミングに関しても、コンポーネントＣＡ１，ＣＡ２，…，ＣＡｎ，ＣＢ１，ＣＢ２，…，ＣＢｎの配信タイミングに縛られるものではない。即ち、コンポーネントＣＡ１，ＣＡ２，…，ＣＡｎ，ＣＢ１，ＣＢ２，…，ＣＢｎの配信に先立って記録モード指定情報ＣＸ、コンフィギュレーション情報ＣＹのいずれか、もしくはいずれもが事前に配信されて、しかる後にコンポーネントＣＡ１，ＣＡ２，…，ＣＡｎ，ＣＢ１，ＣＢ２，…，ＣＢｎが配信される形態をとってもよい。
【００７４】
〔第３の実施形態〕
本発明の第３の実施形態（以下、「本実施形態」と記載）に係る記録装置３０について、図３を参照して説明する。図３は、本実施形態に係る記録装置３０の構成を示すブロック図である。なお、上記実施形態と同様の構成については同一の参照番号を付し、その説明を省略する。
【００７５】
記録装置３０は、第２の実施形態の記録装置２０と同様に、複数のコンポーネントからなるコンテンツＣを記録する記録装置であって、コンテンツＣをリアルタイム再生する際に再生品質のアダプテーションを行う。
【００７６】
コンテンツＣを構成するコンポーネントＣＡ，ＣＢは、第１の実施形態と異なり、同じコンテンツに対して圧縮率の異なる、即ち再生品質の異なるコンポーネントである。このとき、圧縮率の高い（再生品質の低い）コンポーネントＣＡ１，ＣＡ２，…，ＣＡｎが配信装置２から配信され、圧縮率の低い（再生品質の高い）コンポーネントＣＢ１，ＣＢ２，…，ＣＢｎが配信装置２及び配信装置３から配信される。ここで、コンポーネントＣＡｉは、期間Ｔｉに対応する圧縮率の高い、即ち低ビットレートの、低再生品質のコンポーネントであり、コンポーネントＣＢｉは期間Ｔｉに対応する圧縮率の低い、即ち高ビットレートの、高再生品質のコンポーネントである。
【００７７】
本実施形態に係る記録装置３０は、配信装置２からコンテンツＣをリアルタイム受信し再生する際に再生品質のアダプテーションを行う。すなわち、利用可能な通信帯域の帯域幅が予め定められた閾値以上であるときには、高ビットレートのコンポーネントＣＢｉを取得することによってコンテンツＣｉを高品質再生する。一方、利用可能な通信帯域の帯域幅が予め定められた帯域幅以下であるときには、低ビットレートのコンポーネントＣＡｉを取得することによってコンテンツＣｉを低品質再生する。これは期間Ｔｉごとに判断され処理される。これにより、利用可能な通信帯域の帯域幅が変動した場合であっても、コンテンツＣの再生が途切れない。このＣＡｉ、ＣＢｉの対応関係を示すのがコンフィグレーション情報ＣＹであり、記録装置３０は、リアルタイム受信時あるいはそれ以前の任意の時点でコンフィギュレーション情報ＣＹを受信し、コンフィグレーション情報ＣＹに基づいてＣＡｉ、ＣＢｉの何れを要求するかを決定する。
【００７８】
配信装置２は、コンポーネントＣＡ１，ＣＡ２，…，ＣＡｎ及びコンポーネントＣＢ１，ＣＢ２，…，ＣＢｎをユニキャスト配信する配信装置である。各コンポーネントＣＡｉ、ＣＢｉの配信は、記録装置３０からの要求に応じて行われる。この要求は、コンフィギュレーション情報ＣＹに基づいて決定され、リアルタイム再生時点で生起される。このため、コンフィグレーション情報ＣＹには、リアルタイム再生時にコンポーネントＣＡｉあるいはＣＢｉを要求可能な配信装置２を示す情報（コンポーネントＣＡｉあるいはＣＢｉの配信元を示す情報）が含まれる。本実施形態において、コンポーネントＣＡ１，ＣＡ２，…，ＣＡｎ，ＣＢ１，ＣＢ２，…，ＣＢｎのユニキャスト配信は、ＴＣＰ／ＩＰ通信などの通信により実現されるものとする。
【００７９】
配信装置３は、コンポーネントＣＢ１，ＣＢ２，…，ＣＢｎをユニキャスト配信する配信装置である。各コンポーネントＣＢｉの配信は、記録装置３０からの要求に応じて行われる。この要求は、コンフィギュレーション情報ＣＹに基づいて決定され、リアルタイム再生記録後の任意のタイミングで生起される。即ち、コンフィグレーション情報ＣＹには、記録後にコンポーネントＣＢｉを要求可能な配信装置３を示す情報（コンポーネントＣＢｉの配信元を示す情報）が含まれる。本実施形態において、コンポーネントＣＢ１，ＣＢ２，…，ＣＢｎのユニキャスト配信は、ＴＣＰ／ＩＰ通信などの通信により実現されるものとする。
【００８０】
なお、図３では、配信装置２、配信装置３を別の装置として図示したが、単一の配信装置がコンポーネントＣＡ１，ＣＡ２，…，ＣＡｎ，ＣＢ１，ＣＢ２，…，ＣＢｎを適宜ユニキャスト配信する構成でもよい。即ち、配信装置２がリアルタイム再生時点での配信とリアルタイム再生記録後の配信とを兼ねる構成でもよい。
【００８１】
記録装置３０は、コンテンツＣを２つの記録モードの何れかで記録する。第１の記録モードは、リアルタイム再生時点で受信したコンテンツＣを表すコンテンツデータを記録し、コンフィグレーション情報ＣＹを記録しないモードである。本実施形態では、再生品質のアダプテーションが行われるため、リアルタイム受信されたコンテンツＣには、高品質再生可能な期間Ｔｉ（コンポーネントＣＢｉの取得／記録を実行した期間に対応）と高品質再生不能な期間Ｔｊ（コンポーネントＣＡｊの取得／記録を実行した期間に対応）とが混在する。更に、第１の記録モードでは、受信されたＣＡ，ＣＢのコンポーネントを記録後に区別しないため、コンポーネントデータを連結させた状態で記録するか、もしくは再生部３４で再生後に再変換したコンテンツＣのデータとして記録することも可能である。第２の記録モードは、リアルタイム受信したコンポーネントＣＡ１，ＣＡ２，…，ＣＡｎ及びコンポーネントＣＢ１，ＣＢ２，…，ＣＢｎを（期間ＴｉではＣＡｉおよびＣＢｉのいずれかを）個別に記録し、かつコンフィグレーション情報ＣＹを共に記録するモードである。アダプテーションにより取得できなかった高ビットレートのコンポーネントＣＢｉは、記録媒体１３に記録されず（その場合ＣＡｉが記録されている）、非リアルタイム再生時にコンフィグレーション情報ＣＹを参照して受信部３１によって取得される。以下、第１の記録モードのことを「コンテンツ記録方式」（第１の記録方式）とも記載する。また、第２の記録モードのことを「コンポーネント記録方式」（第２の記録方式）とも記載する。
【００８２】
本実施形態においては、記録装置３０が選択すべき記録モードを指定する記録モード指定情報ＣＸが、コンポーネントＣＡ１，ＣＡ２，…，ＣＡｎ，ＣＢ１，ＣＢ２，…，ＣＢｎと共に配信装置２から配信される。記録装置３０は、この記録モード指定情報ＣＸを参照することによって、コンテンツＣを記録する際の記録モードを選択する。また、コンポーネントＣＡ１，ＣＡ２，…，ＣＡｎ，ＣＢ１，ＣＢ２，…，ＣＢｎ間の相互関係を示すコンフィギュレーション情報ＣＹが、コンポーネントＣＡ１，ＣＡ２，…，ＣＡｎ，ＣＢ１，ＣＢ２，…，ＣＢｎと共に配信装置２から配信される。記録装置３０は、このコンフィギュレーション情報ＣＹを参照することによって、コンテンツＣｉを再生するために参照すべきコンポーネントがＣＡｉとＣＢｉ（ＣＡｉあるいはＣＢｉ）であることを知る。
【００８３】
記録装置３０は、図３に示すように、受信部３１、記録部３２、記録媒体１３、再生部３４、及び表示部１５、を備えている。なお、本実施形態においては、記録媒体１３及び表示部１５を記録装置３０に内蔵する構成を採用しているが、これに限定されない。すなわち、記録装置３０に内蔵された記録媒体１３及び表示部１５に代えて、記録装置３０に着脱可能な記録媒体及びディスプレイを用いてもよい。
【００８４】
受信部３１は、配信装置２から配信されたコンポーネントＣＡ１，ＣＡ２，…，ＣＡｎ，ＣＢ１，ＣＢ２，…，ＣＢｎを取得するため、及び、配信装置３から配信されたコンポーネントＣＢ１，ＣＢ２，…，ＣＢｎを取得するための手段であり、例えば、無線ＬＡＮモジュールである。受信部３１は、不図示のバッファを備えており、受信したコンポーネントＣＡｉまたはＣＢｉは、一定期間、このバッファに蓄積される。また、受信部３１は、配信装置２から記録モード指定情報ＣＸ及びコンフィギュレーション情報ＣＹを受信する。このとき、記録モード指定情報ＣＸがコンフィギュレーション情報ＣＹに含まれて、記録モード指定情報ＣＸを含むコンフィギュレーション情報ＣＹを受信するとしてもよい。受信部３１が受信した記録モード指定情報ＣＸは、記録部３２に供給されると共に、非リアルタイム再生時の参照に備えて記録媒体１３に記録される。また、受信部３１が受信したコンフィギュレーション情報ＣＹは、記録モード指定情報ＣＸによって第１の記録モードが指定されている場合を除き、非リアルタイム再生時の参照に備えて記録媒体１３に記録される。
【００８５】
なお、受信部３１がコンポーネントＣＢｉを取得するタイミングは、コンテンツＣｉを受信しリアルタイム再生するタイミング（配信装置２から取得）、及び、第２の記録モードで記録されたコンテンツＣｉが非リアルタイム再生されるタイミング（配信装置３から取得）である。
【００８６】
記録部３２は、コンテンツＣを何れの記録モードで記録するかを、受信部３１から供給された記録モード指定情報ＣＸを参照して選択する。そして、（１）第１の記録モードを選択した場合、再生部３４が再生したコンテンツＣを表すコンテンツデータを記録媒体１３に記録する。（上述したように、受信したコンポーネントＣＡi、ＣＢjを単純に連結したデータであることもあり得る。）また、（２）第２の記録モードを選択した場合、受信部３１が受信したコンポーネントＣＡｉまたはコンポーネントＣＢｉを、別個の状態のまま、コンフィギュレーション情報ＣＹと共に記録媒体１３に記録する。なお、図３では、第２の記録モードを指定する記録モード指定情報ＣＸと共に、コンポーネントＣＡｉおよびコンポーネントＣＢｉのいずれかを記録する記載としているが、これは、同一の期間Ｔｉに対しては、コンポーネントＣＡｉおよびコンポーネントＣＢｉのいずれかが記録される、ということを示している。アダプテーションを行った場合には、コンポーネントＣＡｉが記録された期間と、コンポーネントＣＢｉが記録された期間とが生じ、期間それぞれでのコンポーネントがコンテンツの総再生期間に亘って記録される。
【００８７】
再生部３４は、コンテンツＣのリアルタイム再生と非リアルタイム再生とを行う。リアルタイム再生を行う場合、再生部３４は、受信部３１のバッファから読み出したコンポーネントＣＢｉから、コンテンツＣｉを高品質再生する。アダプテーションによってコンポーネントＣＡｉを取得した期間では、受信部３１のバッファから読み出したコンポーネントＣＡｉからコンテンツＣｉを低品質再生する。再生部３４が合成したコンテンツＣｉは、表示部１５と記録部３２とに供給される。表示部１５は、再生部３４が合成したコンテンツＣｉを表示する。
【００８８】
一方、非リアルタイム再生を行う場合、再生部３４は、コンテンツＣが何れの記録モードで記録されたものであるかを、記録媒体１３に記録された記録モード指定情報ＣＸを参照して特定する。そして、（１）コンテンツＣが第１の記録モードで記録されたものである場合、再生部３４は、記録媒体１３から読み出したコンテンツデータからコンテンツＣｉを再生する。また、（２）コンテンツＣが第２の記録モードで記録されたものである場合、再生部３４は、記録媒体１３から読み出したコンテンツＣｉのコンポーネントについて、コンポーネントＣＢｉが記録されている期間は記録されたコンポーネントＣＢｉでコンテンツＣｉを高品質再生する。コンポーネントＣＢｉが記録媒体１３に記録されていない期間（すなわち、アダプテーションによってコンポーネントＣＡｉが取得され、記録された期間）には、配信装置３にコンポーネントＣＢｉを要求し、新たに受信された受信部３１のバッファから読み出したコンポーネントＣＢｉを用いることによってコンテンツＣｉを高品質再生する。なお、再生部３４は、コンテンツＣｉを再生するために参照すべきコンポーネントＣＢｉおよびこのコンポーネントの配信元を、記録媒体１３に記録されたコンフィギュレーション情報ＣＹを参照して特定する。
【００８９】
非リアルタイム再生時において取得の必要が生じるコンポーネントは、コンポーネントＣＢｉのみである。仮に非リアルタイム再生時点で通信帯域の帯域幅が狭いことが想定される場合には、非リアルタイム再生の事前の通信帯域の帯域幅に余裕がある時点で、もしくは事前に必要な通信時間をかけて取得しておくことで、非リアルタイム再生時に支障が生じることを回避することができる。例えば、必要な帯域幅が確保可能となったときに取得してもよいし、帯域幅に余裕がある可能性の高い夜間などに取得してもよい。また、配信装置２または３、あるいは記録装置３０が取得の時間帯を指定してもよい。
【００９０】
なお、本実施形態においては、異なる圧縮率の、ビットレートの異なる符号化データによってアダプテーション配信される動画を記録対象として例示したが、記録対象となるコンテンツはこれに限定されない。例えば、誤り耐性が低くビットレートの高い放送（例えばフルセグ放送）と、誤り耐性が高くビットレートの低い放送（例えばワンセグ放送）とにより同時配信されるコンテンツを記録対象としてもよい。この場合、受信感度が予め定められた閾値を超えるときに前者の放送を受信し、受信感度が予め定められた閾値以下であるときに後者の放送を受信することによって、再生品質のアダプテーションを実現することができる。後者の放送により配信されるコンポーネントが通信によっても配信される場合には、受信感度が予め定められた閾値以下であるときに後者の放送により配信されるコンポーネントを通信によって取得するように切り替えることによって、再生品質のアダプテーションを実現してもよい。そして、第２の記録モードが選択された場合に、放送または通信で受信された誤り耐性が高くビットレートの低いコンポーネントが、新たに要求し通信にて取得された誤り耐性が低くビットレートの高いコンポーネントに置き換えられて、非リアルタイム再生される。その他、一対の映像、音声のみが多重化された低品質コンポーネントＣＡ１,ＣＡ２，…，ＣＡｎと、複数の映像（主映像、付加映像など）、複数の音声（主音声、副音声など）または多種の関連データが共に多重化された高品質コンポーネントＣＢ１，ＣＢ２，…，ＣＢｎとが用意されて、帯域の変動によって適宜アダプテーション配信されるような利用形態においても、本実施形態が適用可能である。
【００９１】
また、本実施形態においては、配信装置２が、コンポーネントＣＡ１，ＣＡ２，…，ＣＡｎ，ＣＢ１，ＣＢ２，…，ＣＢｎを、通信によりユニキャスト配信する構成を採用しているが、コンポーネントＣＡ１，ＣＡ２，…，ＣＡｎ，ＣＢ１，ＣＢ２，…，ＣＢｎの配信形態はこれに限定されない。すなわち、コンポーネントＣＡ１，ＣＡ２，…，ＣＡｎ，ＣＢ１，ＣＢ２，…，ＣＢｎを、通信によりユニキャスト配信する構成に代えて、通信によりマルチキャスト配信する構成を採用してもよいし、放送によりブロードキャスト配信する構成を採用してもよい。要は、コンポーネントＣＡ１，ＣＡ２，…，ＣＡｎ，ＣＢ１，ＣＢ２，…，ＣＢｎをアダプテーション可能な形態で配信する構成であれば、どのような構成であっても本発明を適用するメリットがある。
【００９２】
また、本実施形態においては、配信装置３が、コンポーネントＣＢ１，ＣＢ２，…，ＣＢｎを、通信によりユニキャスト配信する構成を採用しているが、コンポーネントＣＢ１，ＣＢ２，…，ＣＢｎの配信形態はこれに限定されない。すなわち、コンポーネントＣＢ１，ＣＢ２，…，ＣＢｎを、通信によりユニキャスト配信する構成に代えて、通信によりマルチキャスト配信（ただし、オンデマンドなマルチキャスト配信に限る）する構成を採用してもよい。要は、コンポーネントＣＢ１，ＣＢ２，…，ＣＢｎを再取得が可能な（非リアルタイム再生時の取得が可能な）形態で配信する構成であれば、どのような構成であっても本発明を適用する妨げとはならない。
【００９３】
また、本実施形態においては、記録モード指定情報ＣＸ及びコンフィギュレーション情報ＣＹを、コンポーネントＣＡ１，ＣＡ２，…，ＣＡｎ，ＣＢ１，ＣＢ２，…，ＣＢｎと共に配信装置２から配信する構成を採用しているが、記録モード指定情報ＣＸ及びコンフィギュレーション情報ＣＹの配信形態はこれに限定されない。すなわち、記録モード指定情報ＣＸ及びコンフィギュレーション情報ＣＹを、配信装置３から、あるいは配信装置２及び配信装置３の何れとも異なる第３の配信装置から配信する構成を採用してもよい。それぞれ別々に、コンフィギュレーション情報ＣＹを配信装置２から、記録モード指定情報ＣＸを配信装置３から配信するとしてもよいし、その逆でもよい。記録モード指定情報ＣＸ、及びコンフィギュレーション情報ＣＹを配信するタイミングに関しても、コンポーネントＣＡ１，ＣＡ２，…，ＣＡｎ，ＣＢ１，ＣＢ２，…，ＣＢｎの配信タイミングに縛られるものではない。即ち、コンポーネントＣＡ１，ＣＡ２，…，ＣＡｎ，ＣＢ１，ＣＢ２，…，ＣＢｎの配信に先立って記録モード指定情報ＣＸ、コンフィギュレーション情報ＣＹのいずれか、もしくはいずれもが事前に配信されて、しかる後にコンポーネントＣＡ１，ＣＡ２，…，ＣＡｎ，ＣＢ１，ＣＢ２，…，ＣＢｎが配信される形態をとってもよい。
【００９４】
〔第４の実施形態〕
本発明の第４の実施形態（以下、「本実施形態」と記載）に係る記録装置４０について、図４を参照して説明する。図４は、本実施形態に係る記録装置４０の構成を示すブロック図である。なお、上記実施形態と同様の構成については同一の参照番号を付し、その説明を省略する。
【００９５】
記録装置４０は、第１の実施形態と同様、複数のコンポーネントからなるコンテンツＣを記録する記録装置である。ただし、記録モード指定情報ＣＸのみに基づいて記録モードを選択するのではなく、（１）自身の判断を加味して、（２）自身の判断のみに基づいて、（３）ユーザの指定に従って、あるいは（４）事前の設定に従って記録モードを選択する。
【００９６】
上記複数のコンポーネントは、第１の実施形態と同様、配信装置２及び配信装置３の何れかより配信される。以下、これらのコンポーネントのうち、配信装置２から配信されるものをコンポーネントＣＡ１，ＣＡ２，…と記載し、配信装置３から配信されるものをコンポーネントＣＢ１，ＣＢ２，…と記載する。
【００９７】
コンテンツＣは、第１の実施形態と同様、スケーラブル符号化された動画である。本実施形態においても、ベースレイヤを構成するコンポーネントＣＡ１，ＣＡ２，…，ＣＡｎが配信装置２から配信され、エンハンスメントレイヤを構成するコンポーネントＣＢ１，ＣＢ２，…，ＣＢｎが配信装置３から配信される。ここで、コンポーネントＣＡｉは、期間Ｔｉに対応するベースレイヤであり、コンポーネントＣＢｉは期間Ｔｉに対応するエンハンスメントレイヤである。
【００９８】
記録装置４０は、図４に示すように、受信部１１Ａ、１１Ｂ、記録部４２、記録媒体１３、再生部４４、及び表示部１５、を備えている。
【００９９】
記録部４２は、受信部１１から供給された記録モード指定情報ＣＸに従った記録モードでコンテンツＣを記録することが可能か判定する。具体的には、自身のスペック（処理能力や蓄積許容量など）や通信環境（帯域幅や受信感度など）などに基づいて、この判定を行う。そして、可能であると判定した場合には、記録モード指定情報ＣＸにより指定された記録モードでコンテンツＣを記録する。一方、不可能であると判定した場合には、記録モード指定情報ＣＸにより指定された記録モードとは異なる記録モードを選択する。
【０１００】
例えば、第１の実施形態において、記録モード指定情報ＣＸにより第１の記録モードが指定されていた場合であっても、コンポーネントＣＡｉ及びコンポーネントＣＢｉの両方を受信することが不可能であると判断した場合には、第３の記録モードでコンテンツＣを記録する。これにより、リアルタイム再生において、コンテンツＣの高品質再生を行うことができない場合であっても、非リアルタイム再生において、コンテンツＣの高品質再生を行うことができる。
【０１０１】
具体的には、記録モード指定情報により第１の記録モードが指定されていた場合であっても、記録媒体１３の残存記録容量が予め定めた規定値以下のとき（あるいは、ＣＡｉ、ＣＢｉ全てのコンポーネントを記録するには容量不足で記録不可のとき）には、記録モード指定情報で指定された形式（第１の実施形態におけるコンテンツ記録形式）では記録せず、コンポーネントＣＡｉ及びコンフィギュレーション情報ＣＹのみを記録する形式（第１の実施形態におけるコンポーネント記録形式、より詳細には第３の記録モード）に切り替える。また、通信環境に関しては、通信が一時的に接続不可となった場合に、記録モード指定情報で指定された形式（コンテンツ記録形式）では記録せず、放送で送られたコンポーネントＣＡｉ及びコンフィギュレーション情報ＣＹのみを記録する形式（コンポーネント記録形式）に切り替える。
【０１０２】
これらの具体例では、いずれも、コンポーネントＣＡｉ及びコンフィギュレーション情報ＣＹのみをコンポーネント記録形式として記録したこと（第３の記録モードで記録したこと）を処理情報Ｐとして記録する。この処理情報Ｐは、記録モード指定情報ＣＸと同一形式の情報としてもよい。
【０１０３】
また、記録部４２は、ユーザの入力操作に従って記録形式を変更する。例えば、記録モード指定情報ＣＸでコンポーネント記録形式が指定されているとき、ユーザが、記録後にコンポーネント別の再生を行うという用途がない（ベースレイヤＣＡｉのみで再生する用途はない）と判断し、図示しない入力部を介して一本化したコンテンツ記録形式（第１の記録モード）を指定した場合には、記録モード指定情報ＣＸにかかわらず、この指定に従って記録を行う。この場合、第１の記録モードとしたことにより、コンフィグレーション情報や各コンポーネントに付随の管理情報等が不要になり、記録されるデータ量が削減されるメリットがある。なお、この場合、第１の記録モードで記録したことを処理情報Ｐとして記録する。上記と同じく、処理情報Ｐは記録モード指示情報ＣＸと同一形式の情報としてもよい。
【０１０４】
同様に、記録モード指定情報ＣＸによって、第１の実施形態における第２の記録モード（コンポーネント記録形式のうち、ＣＡｉおよびＣＢｉの両方を記録するモード）が指定されていない場合に、第２の記録モードで記録したときには、第２の記録モードで記録したことを示す処理情報Ｐを記録する。
【０１０５】
また、予めユーザの好みに合わせた（あるいはデフォルト設定の）記録モードを記録装置４０内に登録（記録媒体１３に記録）しておき、記録部４２が配信されてきたコンポーネントを記録する際に、予め登録された記録モードを選択するとしてもよい。
【０１０６】
記録部４２は、記録モード指定情報が取得できない場合などには、記録部４２の判断のみに基づいて記録モードを選択してもよい。例えば、記録装置４０のスペック（処理能力や蓄積許容量）、通信環境（帯域幅や受信感度）、コンポーネントに付された属性情報、コンフィギュレーション情報などから、適当な記録モードを選択してもよい。また、予めユーザの好みに合わせた（あるいはデフォルト設定の）記録モードを登録しておき、記録モード指定情報が取得できない場合にあらかじめ登録された記録モードを選択するといった動作をさせてもよい。
【０１０７】
再生部４４は、第１の実施形態の再生部１４と同様にして、コンテンツＣのリアルタイム再生と非リアルタイム再生とを行う。ただし、本実施形態では、記録部４２が処理情報Ｐを記録する構成である。このため、再生部４４は、処理情報Ｐが記録媒体１３に記録されている場合にはこれを参照して記録されているコンテンツの形式を確認し、合成後のコンテンツデータＣｉ、あるいはコンポーネント情報ＣＹを参照してコンテンツＣｉを再生するために参照すべきコンポーネントＣＡｉ及びコンポーネントＣＢｉを特定する。
【０１０８】
なお、このように、記録モード指定情報により指定された記録モードとは異なる記録モードを選択し得るように記録装置４０を構成する場合には、選択した記録モードを示す記録モード情報を記録装置４０から配信装置３（及び／あるいは配信装置２）にアップロードする構成を併せて採用するとよい。記録モード情報は処理情報Ｐであってもよい。これにより、配信装置３（及び／あるいは配信装置２）は、記録装置４０が既に記録したコンポーネントに補充可能なコンポーネントの有無を判断し、補充可能なコンポーネントを適当なタイミング又は再生のタイミングで再配信することが可能になる。適当なタイミングは、例えば上記判断を行ったタイミングであってもよいし、配信装置３（配信装置２）が設定した時間帯であってもよいし、夜間など帯域に余裕のある時間帯であってもよい。また、記録装置４０が時間帯を指定してもよい。要は、配信装置３（配信装置２）あるいは記録装置４０が適当と判断できるタイミングであればよい。なお、図４の配信装置２は放送による配信を想定しており、個々の記録装置４０の要求に個別に対応してコンポーネントの配信を行うものではないが、本実施形態では、配信装置２が個々の記録装置４０から（通信等別経路を通して）送られてきた処理情報Ｐを集計し、補充要求の高いコンポーネントを割り出した上で、放送波を使って再配信（再放送）する、といった形態を実施形態の１つの例として想定している。また、再生のタイミングでの再配信は、例えば、記録装置４０が非リアルタイム再生時に配信装置３に要求を出すときに、具体的なコンポーネントの要求ではなく、記録した際の処理情報Ｐを送信して、配信装置３に送信するコンポーネントを判断させることによって実現可能である。
【産業上の利用可能性】
【０１０９】
本発明は、ハイブリッド伝送されるコンテンツの記録に好適に利用することができる。
【符号の説明】
【０１１０】
１，２０，３０，４０            記録装置
１１Ａ，１１Ｂ，２１，３１        受信部（取得手段）
１２，２２，３２，４２            記録部（選択手段、記録手段）
１３                              記録媒体
１４，２４，３４，４４            再生部
１５                              表示部
２，３                          配信装置
Ｃ，Ｃｉ                          コンテンツ
ＣＡ１，ＣＡ２，…                コンポーネント
ＣＢ１，ＣＢ２，…                コンポーネント
ＣＸ                              記録モード指定情報（記録方式指定情報）
ＣＹ                              コンフィギュレーション情報（相互関係情報）
Ｐ                                処理情報
【図１】
2013074534.tif 000003
【図２】
2013074534.tif 000004
【図３】
2013074534.tif 000005
【図４】
2013074534.tif 000006